(57)【特許請求の範囲】
【請求項１】
外側へ突出させた断面略コ字状の凸状支柱部とラス網部とを一体的に形成したせき板を用い、前記凸状支柱部を構成する両側壁の端縁部に補強用ツバ部を連続的に折曲げ形成して凸状支柱部の剛性を強化するとともに、前記凸状支柱部の外側へ突出した突出端面の外面に横端太を固定して型枠を建て込むことにより型枠としての剛性を強化し、そのせき板上にデッキプレートを載置して、その荷重を前記凸状支柱部により支持した状態でコンクリートを打設することにより、基礎梁部とスラブ部を同時に打設することを特徴とするラス型枠を用いた建築工法。
【請求項２】
前記凸状支柱部の突出端面に形成した開孔を介して外側に突出したセパレータの端部に横端太を固定するようにしたことを特徴とする請求項１に記載のラス型枠を用いた建築工法。
【発明の詳細な説明】
【０００１】
【発明の属する技術分野】
本発明は、コンクリート建造物の建築工法に関する。より詳しくは、ラス網部を有するラス型枠自体によりデッキプレートに作用する荷重を支持して、基礎梁部と同時にスラブ部に対するコンクリートの打設を可能にした改良技術に関する。
【０００２】
【従来の技術】
従来から合板に替えてラス網を用いたせき板を使用するラス型枠工法は広く知られている。その場合、ラス網には所定の間隔ごとに強化リブを一体的に形成することが一般的である。このラス型枠を用いる工法は、ラス網部の空間率が大きいことから、型枠の軽量化や材料費に関するコスト削減に有効である。しかしながら、強化リブとラス網部との境界部分には、ラス網形成用の切れ目の端部に生じる応力集中によって亀裂が発生しやすいため、これを防止するために両者間に切れ目のない無痕スペースを形成したものが開示されている（特開平８−１８９１８５号公報）。この従来技術は、強化リブとラス網部との境界部分の亀裂を防止することにより、結果的に強化リブの有する本来の機能を維持するようにした点で優れているものの、強化リブの更なる強化を図って、建築工法としての変更までをも目的とするものではなかった。
【０００３】
【発明が解決しようとする課題】
本発明は、ラス網を用いたせき板の利点を生かしながら、型枠として建て込んだ場合の剛性を強化して、ラス型枠自体によりデッキプレートに作用する荷重を支持して、基礎梁部とスラブ部に対して同時にコンクリートの打設を実施できるように建築工法を改善し、その作業性を向上することを目的とするものである。
【０００４】
【課題を解決するための手段】
本発明は、前記課題を解決するため、外側へ突出させた断面略コ字状の凸状支柱部とラス網部とを一体的に形成したせき板を用い、前記凸状支柱部を構成する両側壁の端縁部に補強用ツバ部を連続的に折曲げ形成して凸状支柱部の剛性を強化するとともに、前記凸状支柱部の外側へ突出した突出端面の外面に横端太を固定して型枠を建て込むことにより型枠としての剛性を強化し、そのせき板上にデッキプレートを載置して、その荷重を前記凸状支柱部により支持した状態でコンクリートを打設することにより、基礎梁部とスラブ部を同時に打設するというラス型枠を用いた建築工法を採用した。すなわち、本発明は、せき板をラス網部と断面略コ字状の凸状支柱部とから構成し、その凸状支柱部の断面略コ字状を構成するせき板面に対して垂直方向の両側壁の面内応力によって、せき板としての剛性の大幅な強化を図るとともに、前記凸状支柱部を構成する両側壁の端縁部に補強用ツバ部を連続的に折曲げ形成することにより凸状支柱部の剛性を更に強化し、さらに前記凸状支柱部の断面略コ字状を構成する突出端面の平坦な外面に横端太を固定することにより、それらの断面略コ字状の凸状支柱部と横端太によって強固な骨組を形成して型枠としての剛性を強化したラス型枠を用いた建築工法に関するものであり、それらのせき板自体としての剛性の強化と型枠としての剛性の強化とにより、せき板上にデッキプレートを載置して基礎梁部とスラブ部を同時打設する本発明に係る建築工法を実現可能にした点に特徴を有するものである。
【０００５】
さらに、前記凸状支柱部の突出端面に形成した開孔を介して外側に突出したセパレータの端部に横端太を固定するようにすれば、突出端面の平坦な外面に対する固定である点も相俟って、安定した固定状態が可能であり作業性も向上できる。なお、前記略コ字状を構成する突出端面にセパレータの端部が挿通可能な開孔を多数形成し、それらの多数の開孔から適宜位置の開孔を選択してセパレータの端部を挿通して横端太を固定するようにすれば、横端太の設置位置に関する選択の自由度が増すとともに、使用しない開孔がコ字状部分に溜る水やコンクリートノロなどの流出孔として機能するので、コ字状部分に対するコンクリートの的確な充填にも有効である。
【０００６】
【発明の実施の形態】
本発明は、各種のコンクリート建造物の建築工法として広く適用することが可能である。特に地中梁などの基礎梁とスラブ部との同時形成に好適である。本発明において用いるせき板は、コンクリートを打設し固化した後、解体撤去することなく、そのまま残置する。その場合、打放しのままでもよいし、外面を仕上げるようにしてもよい。前記凸状支柱部は断面略コ字状に形成され、そのコ字状を構成する両側壁が厳密に平行に形成された場合だけでなく、後述の実施例のように多少テーパ状に傾斜して形成された等脚台形であってもよい。本発明に係る建築工法では、前述のように、ラス網部の中間部に適宜数の断面略コ字状の凸状支柱部を形成して、その凸状支柱部を構成する突出端面の平坦な外面に横端太を固定するようにしたので、組立てられた型枠としての剛性が大きく、せき板上にフラットデッキ等のデッキプレートを支持して、基礎梁部や壁部とスラブ部に対して同時にコンクリート打設することが可能である。すなわち、材料の削減による軽量化及び材料費の削減というラス網の利点を維持しながら、凸状支柱部を断面略コ字状にしてそれ自体の剛性の強化を図るとともに、その凸状支柱部を構成する両側壁の端縁部に補強用ツバ部を折曲げ形成して、それらの両側壁面と補強用ツバ部との協働作用により凸状支柱部の剛性を更に強化し、さらに前記凸状支柱部の突出端面の平坦な外面に横端太を固定することにより型枠としての剛性を強化したものであり、それらの剛性の強化によって少なくとも基礎梁部とスラブ部の同時打設を実現可能にして作業性を改善した点に特徴を有するものである。因みに、基礎梁部とスラブ部のほかに壁部などを付加的に加えて同時打設する形態を排除するものではない。
【０００７】
なお、凸状支柱部の突出端面の外面に対する横端太の固定方法は、両者を固定し得るものであればよく、適宜の固定手段の使用が可能である。前記凸状支柱部の横端太の設置位置に合わせてセパレータ挿通用の開孔を設けるようにしてもよいが、多数の開孔を形成しておき、その中から適宜位置の開孔を選択してセパレータ挿通用の挿通孔として用い、外部へ突出したセパレータの端部に横端太を固定するようにしてもよい。また、凸状支柱部相互間に境界用リブを形成して、その境界リブを挟んで対称的にラス網部を形成するようにしてもよい。その場合の凸状支柱部と境界リブとの間の網目は１列でも複数列でもよく、網目を構成する各板片部は、下方が内面側に傾斜するように形成すれば、打設したコンクリートが外部へ急激に流出することなく、水やコンクリートノロなどを適度に流出させることが可能である。
【０００８】
【実施例】
以下、図面を用いて本発明の実施例に関して説明する。図１は本発明に係るラス型枠を用いた建築工法に従って建て込みが終了した時点の型枠の組立状態を示した斜視図である。図中、１は所定の設置位置に建て込んだラス型枠であり、同様の構成からなる一対のせき板２，２を対向させて立設し、それらのせき板２に形成された断面略コ字状の凸状支柱部３の外面に沿って適宜の位置に所要数の横端太４を横架してセパレータ５を用いて固定することにより組立てられている。図中、６はフーチング部分などに合わせて切断加工した変形型枠部である。また、図中、７はスラブ用のフラットデッキであり、図示のようにせき板２の上端部に載置した状態に設置される。なお、図１では、手前側のせき板２の上端部に載置したフラットデッキに関しては図示を省略している。しかして、以上のように所定の設置位置にラス型枠１を建て込み、そのせき板２，２の上端部へフラットデッキ７を載置して設置作業が終了した場合には、スラブ用の配筋を実施した上、それらのせき板２，２相互間及びフラットデッキ７上に対してコンクリートを順次打設することにより、基礎梁部とスラブ部を同時に形成することになる。
【０００９】
次に、以上の本発明に係る建築工法の実施に使用されるラス型枠用せき板に関して説明する。図２〜図４はそのラス型枠用せき板に関する実施例を示したものであり、図２は正面図、図３は平面図、図４は図３の部分拡大図である。図示のように、本実施例に係るラス型枠用のせき板２は、特開平３−２１０９２４号公報等に開示された適宜のラス網形成機構により、断面略コ字状の前記凸状支柱部３を外面側に突出するように所定間隔をあけて折曲げ形成するとともに、予め形成した切れ目の部分を拡げてラス網部８，９を形成することにより製作される。なお、ラス網部８，９の網目１０を形成する板片部１１は、図中下方が内面側に傾斜するように形成され、打設時のコンクリートノロなどが外部へ適度に流出するように構成されている。この関係から、せき板２の上下方向を間違えて設置すると、板片部１１の傾斜方向が逆になり下方が外面側に傾斜するため、打設時のコンクリートが勢いよく流出してしまうという支障が生じることになる。本実施例では、凸状支柱部３相互間の略中央部に境界用板状部１２を設け、その境界用板状部１２を中心に網目１０が対称的に傾斜するようにラス網部８，９を形成したので、その境界用板状部１２の両側の網目１０の傾斜方向あるいは境界用板状部１２自体の両辺部の下方へ向った矢印形状に着目すれば、せき板２の上下方向を簡便に判別できる。
【００１０】
前記凸状支柱部３は、図４に示したように、外面側へ突出した断面略コ字状を構成するテーパ状に若干傾斜した両側壁１３，１４の端縁部１５，１６に補強用ツバ部１７，１８を連続的に折曲げ形成することにより剛性を強化している。また、略コ字状を構成する突出端面１９には、図２に示したように前記セパレータ５の端部が挿通可能な開孔２０を多数形成しており、それらの多数の開孔２０の中から適宜位置の開孔を選択してセパレータ５の端部を挿通して横端太４を固定するように構成されている。そして、この補強用ツバ部１７，１８にて補強された断面略コ字状の凸状支柱部３と、その凸状支柱部３の突出端面１９にセパレータ５を介して固定される横端太４とによって、ラス型枠１の強固な骨組が形成されることになる。因みに、図５はラス型枠１の建て込み状態を示した平面図であり、図示のようにセパレータ５の両端部を凸状支柱部３の突出端面１９に形成した開孔２０及び横端太４に形成した開孔に挿通してナット２１〜２４により内外から締付固定することにより、ラス型枠１が組立形成されることになる。
【００１１】
次に、本発明に係るラス型枠を用いた建築工法の手順に関して説明する。図６はその建築工法の手順に関する一例を示したフロー図である。先ず、工程０１の墨出し工程では、通り芯としての基準墨に基づいて躯体墨を出し、梁巾墨やフーチング墨を出す。工程０２の根巻き定規の設置工程では、図７に示したようにアングル材等からなる根巻定規２５を梁巾墨に合わせて固定する。なお、この間に図示しない柱部や壁部等の必要な配筋がなされ、次の工程０３以降の作業に移行することになる。工程０３のせき板の設置工程では、先ず片面のせき板２を前記根巻定規２５に合わせて立設する。この場合、隣接するせき板２の端部は、図８に示したように重ねるようにする。工程０４では、そのせき板２の凸状支柱部３の突出端面１９に形成した開孔２０にセパレータ５の一端部を挿通し、工程０５において、前記開孔２０から突出したセパレータ５の端部に対して横端太４をセットした上、さらに工程０６へ進み、セパレータ５の端部に螺合したナット２１，２２を用いて、全体の整列状態などを調整しながら、せき板２と横端太４を内外から締付固定する。なお、この間において、必要に応じて、図９に示したようにせき板２のラス網部８，９の部分から折曲げて角部２６に対応したり、図１０に示したように前記フーチング用の変形型枠部６を形成したりする。また、図１１に示したように、横端太４に形成する開孔２７に関しては、締付位置を調整し得るように長孔状に形成する。以上の片面のせき板２の設置作業が終了した場合には、次にそのせき板２に対向する反対面のせき板２の設置作業に移行する。
【００１２】
反対面のせき板２の設置作業は、工程０７〜工程１０に従って実施される。この工程０７〜工程１０の作業は、工程０３〜工程０６の作業に対応しており、工程０７では、設置済の前記せき板２に対向した位置の根巻定規に合わせて反対側のせき板２を立設し、工程０８へ進み、そのせき板２の凸状支柱部３の突出端面１９に形成した開孔２０に設置済の前記セパレータ５の他端部を挿通し、工程０９において前記開孔２０から突出したセパレータ５の端部に対して横端太４をセットした上、さらに工程１０へ進んで、セパレータ５の端部に螺合したナット２３，２４を用いて、全体の整列状態などに関する最終調整を実施しながら、せき板２と横端太４を内外から締付固定する。なお、この最終調整においては、必要に応じて、従来の場合と同様に、桟木や番線を用いて通り直しを実施する。以上の反対面のせき板２の設置作業が終了すれば、対向した一対のせき板２，２からなるラス型枠１の設置作業が終了することになる。
【００１３】
以上のラス型枠１の設置作業が終了した場合には、次の工程１１のフラットデッキの設置工程へ進み、図１に示したように、フラットデッキ７をせき板２の上端部に載置してずれないように固定する。この場合、必要に応じて、せき板２の上端部に断面形状がコ字状あるいはＵ字状などのチャネル材等を被せて、その上にフラットデッキ７を載置するようにしてもよい。さらに、工程１２においてスラブ用の配筋を実施した後、工程１３へ進んで、せき板２，２相互間及びフラットデッキ７上にコンクリートを順次打設して、基礎梁部とスラブ部を同時に形成する。しかる後、工程１４において、必要に応じて固化したコンクリート面、特にスラブ面の養生を実施して本発明に係るラス型枠を用いた建築工法の作業を終了する。因みに、本建築工法においては、ラス型枠１によって囲まれた空間に対する埋め戻し作業や、型枠の解体撤去作業は省略されることになる。
【００１４】
【発明の効果】
本発明によれば、次の効果を得ることができる。
（１）本発明に係るラス型枠を用いた建築工法においては、せき板をラス網部と断面略コ字状の凸状支柱部とから構成したので、その凸状支柱部を構成するせき板面と垂直方向の両側壁の面内応力によって、せき板自体としての剛性が大幅に強化されるとともに、前記凸状支柱部を構成する両側壁の端縁部に補強用ツバ部を折曲げ形成したので、それらの両側壁面と補強用ツバ部との協働作用により凸状支柱部の剛性が更に強化され、さらに前記凸状支柱部を構成する突出端面の平坦な外面に固定される横端太によって、強固な骨組が形成され型枠としての剛性が強化されることから、これらの剛性の強化が相俟って、せき板上にデッキプレートを載置して基礎梁部とスラブ部を同時にコンクリート打設するという簡便な建築工法の実現が可能となる。
（２）したがって、デッキプレートの支持及びコンクリートの打設に関する一連の作業の作業性を大幅に改善できる。
（３）断面略コ字状の凸状支柱部によってデッキプレート及びそのデッキプレート上に打設されるスラブ用コンクリートの荷重を支持するように構成し、ラス網の利点を維持するようにしたので、ラス網による軽量化によって型枠の建て込み作業の作業性が良好であり、材料費の削減にも有効である。
（４）打設したコンクリートが固化した後、せき板はそのまま残置し、型枠の解体作業や型枠で囲まれた内方への埋め戻し作業は省略できるので、その分作業性を向上して、工期の短縮を図ることができる。
（５）前記凸状支柱部の突出端面に形成した開孔を介して外部へ突出させたセパレータの端部に横端太を固定するようにすれば、剛性の大きいラス型枠を効率よく建て込むことができる。
【図面の簡単な説明】
【図１】  本発明に係るラス型枠を用いた建築工法に従って建て込みが終了した時点の型枠の組立状態を示した斜視図である。
【図２】  ラス型枠用せき板に関する実施例を示した正面図である。
【図３】  同実施例の平面図である。
【図４】  図３の部分拡大図である。
【図５】  ラス型枠の建て込み状態を示した平面図である。
【図６】  本発明に係るラス型枠を用いた建築工法の手順に関する一例を示したフロー図である。
【図７】  根巻定規の設置状態を示した正面説明図である。
【図８】  せき板間の接続状態を示した平面説明図である。
【図９】  角部に関するせき板の状態を示した平面説明図である。
【図１０】  フーチング部分のせき板の状態を示した平面説明図である。
【図１１】  横端太の設置状態を示した正面説明図である。
【符号の説明】
１…ラス型枠、２…ラス型枠用せき板、３…凸状支柱部、４…横端太、５…セパレータ、６…変形型枠部、７…フラットデッキ、８，９…ラス網部、１０…網目、１１…板片部、１２…境界用板状部、１３，１４…両側壁、１５，１６…端縁部、１７，１８…補強用ツバ部、１９…突出端面、２０…開孔、２１〜２４…ナット、２５…根巻定規、２６…角部、２７…開孔
【図１】
0004726328.tif 000002
【図２】
0004726328.tif 000003
【図３】
0004726328.tif 000004
【図４】
0004726328.tif 000005
【図５】
0004726328.tif 000006
【図６】
0004726328.tif 000007
【図７】
0004726328.tif 000008
【図８】
0004726328.tif 000009
【図９】
0004726328.tif 000010
【図１０】
0004726328.tif 000011
【図１１】
0004726328.tif 000012